(57)【要約】  舗装回復を処理するためのシステムであって、回復材料の質量を測定するための計量装置５０２と、回復寸法情報および回復材料情報を受け取り、必要とされる回復材料の質量を決定するように適合され、それによって回復の目標空隙含有量を提供する回復装置１０とを備え、必要に応じて、回復装置は計量装置によって測定された質量の表示を受け取るように適合され、必要に応じて、表示は必要とされる質量を測定した計量装置の検証であるシステム。
2020530534.tif 000002
【特許請求の範囲】
【請求項１】
舗装回復を処理するためのシステムであって、
回復材料の質量を測定するための計量装置と、回復寸法情報および回復材料情報を受け取り、回復材料の必要な質量を決定し、それによって前記回復の目標空隙含有量を提供するように適合された回復装置と、
前記回復装置は前記計量装置によって測定された前記質量の表示を受信するように必要に応じて適合され、前記表示は前記必要な質量を測定した前記計量装置の検証である、システム。
【請求項２】
前記回復寸法情報は長さおよび幅を含み、前記回復装置は、前記長さおよび幅から回復表面積を決定するように適合される、請求項１に記載のシステム。
【請求項３】
前記回復寸法情報は回復形状情報と１つ以上の寸法値とを含み、前記回復装置は、前記回復形状情報と前記１つ以上の寸法値とから回復表面積を決定するように適合される、請求項１または２に記載のシステム。
【請求項４】
前記回復寸法情報は、形状リスト、ユーザ入力形状概略図、または写真からの形状選択の形態である、請求項３に記載のシステム。
【請求項５】
前記回復寸法情報は、１つ以上の深さ値を含む、請求項１から４の何れか１項に記載のシステム。
【請求項６】
前記回復装置は前記１つ以上の深さ値から代表深さ値を決定するように適合され、前記代表深さ値は平均深さ値または中央深さ値である、請求項５に記載のシステム。
【請求項７】
前記回復寸法情報は、深さプロファイル情報を含む、請求項５または６に記載のシステム。
【請求項８】
前記回復装置は請求項２〜４の何れかに記載の前記回復表面積から回復体積を決定し、請求項５〜７の何れかに記載の深さ値または代表深さ値を決定するように適合されている、請求項１〜７の何れか１項に記載のシステム。
【請求項９】
前記回復装置は、前記回復内に位置する項目にさらに依存して回復体積を決定するように適合される、請求項８に記載のシステム。
【請求項１０】
前記項目が、蓋、ストップタップ、消火栓、計器ハウジングまたは排水ハウジングである、請求項９に記載のシステム。
【請求項１１】
前記回復装置は、前記回復材料情報から最大理論密度を決定するように適合される、請求項１〜１０の何れか１項に記載のシステム。
【請求項１２】
前記最大理論密度は、既知の最大理論密度の範囲からの代表的な最大理論密度である、請求項１１に記載のシステム。
【請求項１３】
前記回復装置は、前記回復材料情報から前記回復の前記目標空隙含有量を決定するように適合される、請求項１〜１３の何れか１項に記載のシステム。
【請求項１４】
前記目標空隙含量は、許容される目標空隙含量の範囲からの代表的な目標空隙含量である、請求項１３に記載のシステム。
【請求項１５】
前記回復装置は請求項８〜１０の何れかに記載の前記回復体積から、必要に応じて請求項１３または１４に記載の前記目標空隙含有量から、および請求項１１または１２に記載の前記最大理論密度から、前記必要な回復材料の質量を決定する、請求項１から１４の何れか１項に記載のシステム。
【請求項１６】
前記回復装置は、前記計量装置によって測定された質量に基づいて、実際に使用された回復材料の質量を決定するようにさらに適合されている、請求項１〜１５の何れか１項に記載のシステム。
【請求項１７】
前記回復装置は前記計量装置によって測定された前記質量の未使用部分の表示を受信し、さらに、前記未使用部分に基づいて、前記実際に使用された回復材料の質量を決定するようにさらに適合される、請求項１６に記載のシステム。
【請求項１８】
前記回復装置は、前記実際に使用された回復材料の質量に基づいて、前記回復の推定された実際の空隙含有量を決定するようにさらに適合されている、請求項１６または１７に記載のシステム。
【請求項１９】
前記回復装置は、前記推定された実際の空隙含有量が許容される目標空隙含有量の範囲内にあるかどうかの表示を提供するようにさらに適合される、請求項１８に記載のシステム。
【請求項２０】
回復装置は、必要に応じて圧縮装置の前記回復のためのリフト数を決定するようにさらに適合される、請求項１〜１９の何れか１項に記載のシステム。
【請求項２１】
前記回復装置は、必要に応じて、前記必要な回復材料の質量を、容器当たりの最大荷重に応じて、回復材料の多数の荷重に分割するようにさらに適合される、請求項１〜２０の何れか１項に記載のシステム。
【請求項２２】
前記回復は第１の材料の第１の層および第２の材料の第２の層を含み、前記回復装置は前記第１の層の第１の目標空隙含有量および前記第２の層の第２の目標空隙含有量を提供するために、必要な第１の回復材料の質量および必要な第２の回復材料の質量を決定するように適合される、請求項１〜２１の何れか１項に記載のシステム。
【請求項２３】
前記第１の材料は結合剤材料であり、前記第２の材料は表面材料である、請求項２２に記載のシステム。
【請求項２４】
前記回復装置は、前記回復に関連するさらなる情報を受信するようにさらに適合される、請求項１〜２３の何れか１項に記載のシステム。
【請求項２５】
前記さらなる情報は、舗装タイプ、道路タイプ、歩道タイプ、回復場所、日付、時間、作業期間、気象条件、ユーザ識別、サイト情報、写真、圧縮装置、圧縮手順、回復材料の温度、サブベース材料、結合剤材料、表面材料、結合剤層の深さ、表面層の深さ、圧縮期間、圧縮振動周波数、および回復識別のうちの１つまたは複数に関係する、請求項２４に記載のシステム。
【請求項２６】
前記回復装置および前記計量装置は前記計量装置によって測定された質量および／または前記必要な回復材料の質量の表示を送信するために、お互いに通信するための通信モジュールを含む、請求項１〜２５の何れか１項に記載のシステム。
【請求項２７】
回復材料の温度を測定するための温度計をさらに含み、前記回復装置が前記温度計によって測定された温度の表示を受信し、必要に応じて、前記表示が、必要な温度を測定した前記温度計の検証である、請求項１〜２６の何れか１項に記載のシステム。
【請求項２８】
前記回復装置および前記温度計は前記温度計によって測定された前記温度の表示を送信するために、お互いに通信するための通信モジュールを含む、請求項２７に記載のシステム。
【請求項２９】
圧縮情報を測定するための圧縮測定システムをさらに含み、前記回復装置は前記圧縮測定システムによって測定された圧縮情報を受信し、必要に応じて、前記情報は、必要な圧縮を測定した前記圧縮測定システムの検証である、請求項１〜２８の何れか１項に記載のシステム。
【請求項３０】
前記回復装置および前記圧縮測定システムは、前記圧縮測定システムによって測定された前記圧縮情報を送信するために、お互いに通信するための通信モジュールを含む、請求項２９に記載のシステム。
【請求項３１】
寸法情報を決定する測定装置をさらに含み、前記回復装置は、前記測定装置によって決定された寸法情報を受信する、請求項１〜３０の何れか１項に記載のシステム。
【請求項３２】
前記回復装置および前記測定装置は、前記測定装置によって決定された前記寸法情報を送信するために、お互いに通信するための通信モジュールを含む、請求項３１に記載のシステム。
【請求項３３】
前記回復を識別するための回復識別タグをさらに含む、請求項１〜３２の何れか１項に記載のシステム。
【請求項３４】
前記回復識別タグは、前記回復に埋め込むためのＲＦＩＤタグである、請求項３３に記載のシステム。
【請求項３５】
前記回復装置は、さらに、前記回復の記録をデータストアに送信するように適合されている、請求項１〜３４の何れか１項に記載のシステム。
【請求項３６】
請求項３３または３４に記載の回復識別タグが、前記記録内の前記回復の一意の識別子を提供する、請求項３５に記載のシステム。
【請求項３７】
請求項３５または３６に記載の前記回復の記録を受信するために適合されたデータストアをさらに含む、請求項１〜３６の何れか１項に記載のシステム。
【請求項３８】
前記データストアは回復に関するクエリを受信し、前記記録に基づいて前記回復に関する情報を提供するように適合される、請求項３７に記載のシステム。
【請求項３９】
前記データストアへの回復に関するクエリを提出し、前記回復に関する情報を受信するように適合された監査装置をさらに含む、請求項３８に記載のシステム。
【請求項４０】
舗装回復を処理するための回復装置であって、前記回復装置は、回復寸法情報および回復材料情報を受け取るために適合され、かつ、前記回復の目標空隙含有量を提供するために、必要な回復材料の質量を決定するために適合される、回復装置。
【請求項４１】
回復材料を受け取るための容器と、前記容器内に受け取られた回復材料の質量を測定するための計量装置とを備えるシステムであって、必要に応じて、前記計量装置は、前記計量装置によって測定された質量の表示を提供するように適合され、必要に応じて、前記計量装置は必要な回復材料の質量の表示を受け取るように適合され、必要に応じて、前記計量装置は必要な質量の表示を受け取るために、および／または前記計量装置によって測定された前記質量の表示を提出するために、（必要に応じて、請求項１〜４０の何れか１項に記載の）回復装置と通信するための通信モジュールを含む、システム。
【請求項４２】
前記計量装置は前記容器に一体化されている、請求項４１に記載のシステム。
【請求項４３】
前記容器は一輪車である、請求項４１または４２に記載のシステム。
【請求項４４】
前記容器はホットボックスである、請求項４１または４２に記載のシステム。
【請求項４５】
舗装回復を処理する方法であって、回復の目標空隙含有量を提供するために、回復寸法情報および回復材料情報から必要な回復材料の質量を決定することを含む、方法。
【請求項４６】
請求項４５に記載の方法に従って処理された舗装回復物。
【発明の詳細な説明】
【技術分野】
【０００１】
本発明は、舗装回復を処理するためのシステムに関する。本発明はまた、舗装回復を処理するための回復装置および舗装回復を処理する方法に関する。
【背景技術】
【０００２】
道路、歩道、小道、および自転車用道路などの通路の舗装を開けることは、しばしば、舗装の下の設備（例えば、ガス、水道、電気通信、電力供給）の設置、保守、または修理のためのアクセスを提供するために必要である。舗装開口部の回復は、舗装の継続的な使用が望まれる。舗装開口部の回復は、回復が沈下および表面の凹凸および損傷の受けやすさを回避するために性能基準に従うことを保証するための現地規制の問題であることが多い。
【０００３】
イギリスでは、運輸省の幹線道路当局・公益事業委員会が開口回復のための仕様を定めている。実施規範、第３版（イギリス）、２０１０年４月によれば、開口部は、瀝青表面材料のような適切な材料の敷設および圧縮の手順によって回復させることができる。回復は、特定の材料および意図される用途に応じて、特定の現場空隙含有量要件に準拠することが要求される。空隙含有量が高すぎると、液体が空隙に浸透し、凍結融解サイクルが表面に損傷をもたらす可能性がある。酸化は空隙内の空気流によって起こり、回復の悪化を引き起こすことがある。空隙含有量が低すぎると、材料が変形し、表面の不規則性をもたらす可能性がある。「実施規範」の以下の表は、車道または歩道で使用するための様々な材料について、許容される空隙含有量の範囲（体積％）を定量化したものである。
【０００４】
【表１】
2020530534.tif 000003
ＮＰ＝許可されない
表１は、実施規範表Ｓ１０．１からの許可された空隙含有量である。
【０００５】
回復において必要な空隙含有量を達成するために、回復は特に、公表されたガイドラインに従って特定の圧縮装置を用いて圧縮パスの数を指定する特定の圧縮手順の対象にさらされる。実施規範からの以下の表は、様々な圧縮装置のための、および圧縮後の層（またはリフト）の厚さに応じた、瀝青混合物の圧縮手順を明記している。
【０００６】
【表２】
2020530534.tif 000004
ＮＲ＝推奨しない
＃＝幅５００ｍｍを超えるトレンチの永久表面コースでは推奨されないバイブロタンパー
表２は、実施規範テーブルＮＧ  Ａ８．３からの圧縮手順のガイダンスである。
【０００７】
回復の最小の深度は、車道または歩道のタイプ、および回復がコンクリート上であるか否かに依存し得る。次の表は、さまざまなタイプの車道および歩道について、回復がコンクリートを超えているかどうかに応じて、いくつかの典型的な最小回復深度を指定している。
【０００８】
【表３】
2020530534.tif 000005
表３は、回復のガイダンスである。
【０００９】
大きな深度（例えば、４０ｍｍを超える深度）の回復のために、リフトとも呼ばれる１つ以上の追加の層が、順序通りに配置され、圧縮され得る。リフト（圧縮後）が有し得る厚さは使用される特定の材料に依存し、例えば、６ｍｍのＤＳＣ（ＡＣ６高密度表面コース）については１５ｍｍの最小圧縮リフト厚さが必要とされ、公称リフト厚は２０〜３０ｍｍであり、任意の点における最大圧縮リフト厚は４０ｍｍである。実施規範からの以下の表は、種々の瀝青材料のための圧縮リフト厚を特定する。
【００１０】
【表４】
2020530534.tif 000006
表４は、実施規範表Ａ２．１からの、瀝青混合物の圧縮リフト厚である。
【発明の概要】
【００１１】
以下の知識に基づいている。
・回復材料の種類
・圧縮装置、そして
・回復の深度
回復者はガイドラインから、所定の空隙含有量を潜在的に満たすために必要なリフトおよび圧縮パスの数を決定することができる。例えば、６ｍｍのＳＭＡを使用する６０ｍｍの深度の歩道回復のためには、２つのリフトが必要とされ、各リフトは必要な２〜１０％の空隙含有量を達成するために、バイブロタンパー（最低５０ｋｇ）を用いて５パスで圧縮される。
【００１２】
実際には、回復者の判断、技能、経験、知識が回復の質に影響を及ぼすことがある。回復は、リフトのための適切な量の材料を注ぎ出すことが必要である。材料の追加、すなわち、意図された圧縮厚を達成するための圧縮前の材料の余剰は、意図された圧縮厚に関連して％追加量として定量化することができる。典型的には比較的曖昧なガイダンスのみが、そのような追加（例えば、２０〜５０％）に利用可能であり、空隙要件の順守は有効ではない。適用可能な追加レベルは、材料の種類によって異なる。実際には、回復者が主に目によって、経験に基づいて、リフトのための材料の適切な量を決定し、材料が掻き集められおよび測定されることによって均一に配置されることを確実にする。誤りは回復の一部、または回復全体さえも、必要とされる空隙含有量範囲外になることを引き起こし、回復の質を低下させる。いくつかの推定は、全ての回復の２５％までが空隙含有量要件に適合せず、故障の危険性が増大していることを示している。
【００１３】
回復後、回復の品質は、しばらくしてから初めて明らかになるかもしれない。実際の空隙含有量が要求に適合するかどうかを決定することは、通常、表面のサンプルを採取し、それを実験室で分析することを含むので、現場での回復者にとっては可能ではない。品質が不十分な回復の発生は、回復が行われた時点で気付かれず、修正が比較的簡単に行われる場合がある。
【００１４】
本発明の目的は、これらの問題のいくつかを少なくとも軽減する、回復の方法、回復のための装置、および回復のためのシステムを提供することである。
【課題を解決するための手段】
【００１５】
第１の態様によれば、舗装回復を処理するためのシステムが提供され、このシステムは回復材料の質量を測定するための計量装置と、回復寸法情報および回復材料情報を受け取り、回復材料の必要な質量を決定するように適合され、それによって回復の目標空隙含有量を提供する回復装置とを備える。必要に応じて、回復装置は計量装置によって測定された質量の表示を受信するように適合され、必要に応じて、表示は必要な質量を測定した計量装置の検証である。回復寸法情報および回復材料情報に基づいて必要な回復材料の質量を決定することによって、目標空隙含有量のより正確な成果を達成することができ、空隙含有量要件に対するより信頼性の高い順守を達成することができる。回復材料は、好ましくは瀝青材料である。
【００１６】
簡単にするために、回復寸法情報は、長さおよび幅を含むことができる。回復装置は、長さおよび幅から回復表面積を決定するように適合されてもよい。汎用性のために、回復寸法情報は、回復形状情報と、１つ以上の寸法値とを含むことができる。回復装置は、回復形状情報と、１つ以上の寸法値から回復表面積を決定するように適合させることができる。正確さのために、回復形状情報は、形状リスト、ユーザ入力形状概略図、または写真からの形状選択の形態であってもよい。
【００１７】
正確さのために、回復寸法情報は、１つ以上の深さ値を含むことができる。簡単にするために、回復装置は、１つ以上の深さ値から代表深さ値を決定するように適合されてもよい。代表深さ値は平均深さ値であってもよいし、中央深さ値であってもよい。正確さのために、回復寸法情報は、深さプロファイル情報を含むことができる。
【００１８】
回復装置は好ましくは前述のように回復表面積から回復体積を決定し、前述のように深さ値または代表深さ値を決定するように適合される。使用を容易にするために、回復体積は、回復内に位置する項目にさらに依存して決定されてもよい。項目は、蓋、ストップタップ、消火栓、計器ハウジングまたは排水ハウジングであってもよい。
【００１９】
便宜上、回復装置は、回復材料情報から最大理論密度を決定するように適合されてもよい。最大理論密度は、既知の最大理論密度の範囲からの代表的な最大理論密度であってもよい。
【００２０】
便宜上、回復装置は、回復材料情報から回復の目標空隙含有量を決定するように適合されてもよい。目標空隙含有量は、許容される目標空隙含有量の範囲からの代表的な目標空隙含有量であってもよい。
【００２１】
好ましくは、回復装置が前述のように回復体積から、必要に応じて目標空隙含有量から、および前述のように最大理論密度から、必要な回復材料の質量を決定する。好ましくは、回復装置が以下の式に従って、必要な回復材料の質量を決定する。
必要な材料の質量＝回復体積×最大理論密度×（１−（目標空隙含有量［％］／１００））。
【００２２】
有効性のために、回復装置は、計量装置によって測定された質量に基づいて、実際に使用された回復材料の質量を決定するようにさらに適合されてもよい。正確さのために、回復装置は計量装置によって測定された質量の未使用部分の表示を受信し、未使用部分に基づいて実際に使用された回復材料の質量を決定するようにさらに適合されてもよい。有効性のために、回復装置は、実際に使用された回復材料の質量に基づいて回復の推定された実際の空隙含有量を決定するようにさらに適合されてもよい。便宜上、回復装置は、推定された実際の空隙含有量が許容される目標空隙含有量の範囲内にあるかどうかの表示を提供するようにさらに適合されてもよい。
【００２３】
効率のために、回復装置は、必要に応じて圧縮装置の回復のためのリフト数を決定するようにさらに適合させることができる。回復装置はさらに、必要な回復材料の質量を回復のための複数のリフトに分割するように適合されてもよい。取り扱いを容易にするために、回復装置は、必要な回復材料の質量（必要に応じてリフト当たり）を、必要に応じて容器当たりの最大荷重に応じて、回復材料の複数の荷重に分割するようにさらに適合させることができる。
【００２４】
回復は、第１の材料の第１の層と、第２の材料の第２の層とを含むことができる。回復装置は第１の層の第１の目標空隙含有量および第２の層の第２の目標空隙含有量を提供するために、必要な第１の回復材料の質量および必要な第２の回復材料の質量を決定するように適合されてもよい。第１の材料は結合剤材料であってもよく、第２の材料は表面材料であってもよい。
【００２５】
汎用性のために、回復装置は、回復に関連するさらなる情報を受信するようにさらに適合されてもよい。さらなる情報は、舗装タイプ、道路タイプ、歩道タイプ、回復場所、日付、時間、作業期間、気象条件、ユーザ識別、サイト情報、写真、圧縮装置、圧縮手順、回復材料の温度、サブベース材料、結合剤材料、表面材料、結合剤層の深さ、表面層の深さ、圧縮期間、圧縮振動周波数、および回復識別のうちの１つまたは複数に関連することができる。
【００２６】
精度および信頼性のために、回復装置および計量装置は、計量装置によって測定された質量および／または必要な回復材料の質量の表示を送信するために、お互いに通信するための通信モジュールを備えてもよい。
【００２７】
精度および信頼性のために、システムは、回復材料の温度を測定するための温度計をさらに備えてもよい。回復装置は、温度計によって測定された温度の表示を受信することができる。表示は、必要な温度を測定した温度計の検証であってもよい。回復装置および温度計は温度計によって測定された温度の表示を送信するために、および／または必要な温度の表示を送信するために、お互いに通信するための通信モジュールを備えることができる。
【００２８】
精度および信頼性のために、システムは、圧縮情報を測定するための圧縮測定システムをさらに備えることができる。圧縮測定システムは、圧縮振動測定システムであってもよい。回復装置は、圧縮測定システムによって測定された圧縮情報を受信することができる。情報は、必要な圧縮を測定した圧縮測定システムの検証であってもよい。回復装置および圧縮測定システムは、圧縮測定システムによって測定された圧縮情報を送信するために、および／または必要な圧縮の表示を送信するために、お互いに通信するための通信モジュールを備えることができる。
【００２９】
精度および信頼性のために、システムは、寸法情報を決定するための測定装置をさらに備えることができる。回復装置は、測定装置によって決定された寸法情報を受信してもよい。測定装置は、デジタルテープ測定装置、赤外線寸法測定装置、超音波距離測定装置、レーザ距離測定装置、またはレーザスキャンシステムであってもよい。回復装置および測定装置は、測定装置によって決定された寸法情報を送信するために、お互いに通信するための通信モジュールを備えることができる。
【００３０】
信頼性のために、システムは、回復を識別するための回復識別タグをさらに含むことができる。回復識別タグは、回復に埋め込むためのＲＦＩＤタグであってもよい。
【００３１】
回復装置は、回復の記録をデータストアに送信するようにさらに適合されてもよい。記録は好ましくは回復のために前述のように、推定された実際の空隙含有量を含む。信頼性のために、前述のように回復識別タグは、必要に応じて記録内の回復の一意の識別子を提供することができる。
【００３２】
システムは、前述のように回復の記録を受信するように適合されたデータストアをさらに備えることができる。データストアは回復に関するクエリを受信し、記録に基づいて回復に関する情報を提供するように構成されてもよい。システムはデータストアへの回復に関するクエリを提出し、回復に関する情報を受信するように適合された監査装置をさらに備えることができる。これにより、回復装置が記録した情報を広く利用することができる。
【００３３】
別の態様によれば、舗装回復を処理するための装置が提供され、回復装置は、回復寸法情報および回復材料情報を受け取るために適合され、回復の目標空隙含有量を提供するために必要な回復材料の質量を決定するように適合される。回復寸法情報および回復材料情報に基づいて必要な回復材料の質量を決定することによって、目標空隙含有量のより正確な成果を達成することができ、空隙含有量要件に対するより信頼性の高い順守を達成することができる。回復材料は、好ましくは瀝青材料である。
【００３４】
簡単にするために、回復寸法情報は、長さおよび幅を含むことができる。回復装置は、長さおよび幅から回復表面積を決定するように適合されてもよい。汎用性のために、回復寸法情報は、回復形状情報と１つ以上の寸法値とを含むことができる。回復装置は、回復形状情報と１つ以上の寸法値から回復表面積を決定するように適合させることができる。正確さのために、回復形状情報は、形状リスト、ユーザ入力形状概略図、または写真からの形状選択の形態であってもよい。
【００３５】
正確さのために、回復寸法情報は、１つ以上の深さ値を含むことができる。簡単にするために、回復装置は、１つ以上の深さ値から代表深さ値を決定するように適合されてもよい。代表深さ値は平均深さ値であってもよいし、中央深さ値であってもよい。正確さのために、回復寸法情報は、深さプロファイル情報を含むことができる。
【００３６】
回復装置は好ましくは前述のように回復表面積から回復体積を決定し、前述のように深さ値または代表深さ値を決定するように適合される。使用を容易にするために、回復体積は、回復内に位置する項目に応じてさらに依存して決定されてもよい。項目は、蓋、ストップタップ、消火栓、計器ハウジングまたは排水ハウジングであってもよい。
【００３７】
便宜上、回復装置は、回復材料情報から最大理論密度を決定するように適合されてもよい。最大理論密度は、既知の最大理論密度の範囲からの代表的な最大理論密度であってもよい。
【００３８】
便宜上、回復装置は、回復材料情報から回復の目標空隙含有量を決定するように適合されてもよい。目標空隙含有量は、許容される目標空隙含有量の範囲からの代表的な目標空隙含有量であってもよい。
【００３９】
好ましくは、回復装置が前述のように回復体積から、必要に応じて目標空隙含有量から、および前述のように最大理論密度から、必要な回復材料の質量を決定する。好ましくは、回復装置が以下の式に従って、必要な回復材料の質量を決定する。
必要な材料の質量＝回復体積×最大理論密度×（１−（目標空隙含量［％］／１００））。
【００４０】
正確さのために、回復装置は、計量装置によって測定された回復材料の質量の表示を受け取るように適合されてもよい。表示は、必要な回復材料の質量を測定した計量装置の検証であってもよい。有効性のために、回復装置は、計量装置によって測定された質量に基づいて、実際に使用された回復材料の質量を決定するように適合されてもよい。正確さのために、回復装置は計量装置によって測定された質量の未使用部分の表示を受信し、未使用部分にさらに基づいて実際に使用された回復材料の質量を決定するように適合されてもよい。有効性のために、回復装置は、実際に使用された回復材料の質量に基づいて回復の推定された実際の空隙含有量を決定するように適合されてもよい。便宜上、回復装置は、推定された実際の空隙含有量が許容される目標空隙含有量の範囲内にあるかどうかの表示を提供するように適合されてもよい。
【００４１】
効率のために、回復装置は、必要に応じて圧縮装置の回復のためのリフト数を決定するように適合させることができる。回復装置は、必要な回復材料の質量を回復のための複数のリフトに分割するように適合されてもよい。取り扱いを容易にするために、回復装置は、必要な回復材料の質量（必要に応じてリフト当たり）を、必要に応じて容器当たりの最大荷重に応じて、回復材料の複数の荷重に分割するように適合させることができる。
【００４２】
回復は、第１の材料の第１の層と、第２の材料の第２の層とを含むことができる。回復装置は第１の層の第１の目標空隙含有量および第２の層の第２の目標空隙含有量を提供するために、必要な第１の回復材料の質量および必要な第２の回復材料の質量を決定するように適合されてもよい。第１の材料は結合剤材料であってもよく、第２の材料は表面材料であってもよい。
【００４３】
汎用性のために、回復装置は、回復に関するさらなる情報を受信するように適合されてもよい。さらなる情報は、舗装タイプ、道路タイプ、歩道タイプ、回復場所、日付、時間、作業期間、気象条件、ユーザ識別、サイト情報、写真、圧縮装置、圧縮手順、回復材料の温度、サブベース材料、結合剤材料、表面材料、結合剤層の深さ、表面層の深さ、圧縮期間、圧縮振動周波数、および回復識別のうちの１つまたは複数に関連することができる。
【００４４】
正確さおよび信頼性のために、回復装置は計量装置によって測定された質量の表示を受信するために、および／または必要となる回復材料の質量の表示を送信するために、計量装置と通信するための通信モジュールを備えてもよい。
【００４５】
正確さおよび信頼性のために、回復装置は温度計によって測定された温度の表示を受信するために、および／または必要な温度の表示を送信するために、温度計と通信するための通信モジュールを備えてもよい。温度計は、回復材料の温度を測定するためのものであってもよい。表示は、必要な温度を測定した温度計の検証であってもよい。
【００４６】
正確さおよび信頼性のために、回復装置は圧縮測定システムによって測定された圧縮情報を受信するために、および／または必要な圧縮の表示を送信するために、圧縮測定システムと通信するための通信モジュールを備えることができる。圧縮測定システムは、回復の圧縮を測定するためのものであってもよい。圧縮測定システムは、圧縮振動測定システムであってもよい。情報は、必要な圧縮を測定した圧縮測定システムの検証であってもよい。
【００４７】
正確さおよび信頼性のために、回復装置は測定装置によって決定された寸法情報を受信するために、測定装置と通信するための通信モジュールを備えることができる。測定装置は、デジタルテープ測定装置、赤外線寸法測定装置、超音波距離測定装置、レーザ距離測定装置、またはレーザスキャンシステムであってもよい。
【００４８】
回復装置は、回復の記録をデータストアに送信するように適合されてもよい。記録は好ましくは回復のために前述のように、推定された実際の空隙含有量を含む。信頼性のために、回復記録は、回復識別タグに関連付けられた一意の識別子を含むことができる。信頼性のために、回復識別タグは、回復に埋め込むためのＲＦＩＤタグであってもよい。
【００４９】
別の態様によれば、回復材料を受け入れるための容器と、容器内に受け入れられた回復材料の質量を測定するための計量装置とを備えるシステムが提供される。計量装置は、計量装置によって測定された質量の表示を提供するように適合されてもよい。計量装置は、必要な回復材料の質量の表示を受け取るように適合されてもよい。計量装置は必要な質量の表示を受信するため、および／または計量装置によって測定された質量の表示を提示するために、（必要に応じて前述のように）回復装置と通信するための通信モジュールを備えることができる。容器および計量装置を提供することによって、必要な回復材料の質量を正確かつ確実に提供することができる。回復材料は、好ましくは瀝青材料である。
【００５０】
使用を容易にするために、計量装置は、容器に一体化されてもよい。容器は、一輪車またはホットボックスであってもよい。
【００５１】
別の態様によれば、舗装回復を処理する方法が提供され、この方法は回復の目標空隙含有量を提供するために、回復寸法情報および回復材料情報から必要な回復材料の質量を決定することを含む。回復寸法情報および回復材料情報に基づいて必要な回復材料の質量を決定することによって、目標空隙含有量のより正確な成果を達成することができ、空隙含有量要件に対するより信頼性の高い順守を達成することができる。回復材料は、好ましくは瀝青材料である。
【００５２】
簡単にするために、回復寸法情報は、長さおよび幅を含むことができる。この方法は、長さおよび幅から回復表面積を決定することを含むことができる。汎用性のために、回復寸法情報は、回復形状情報および１つ以上の寸法値を含むことができる。この方法は、回復形状情報および１つ以上の寸法値から回復表面積を決定することを含むことができる。正確さのために、回復形状情報は、形状リスト、ユーザ入力形状概略図、または写真からの形状選択の形態であってもよい。
【００５３】
正確さのために、回復寸法情報は、１つ以上の深さ値を含むことができる。簡潔にするために、この方法は、１つ以上の深さ値から代表深さ値を決定することを含むことができる。代表深さ値は平均深さ値であってもよいし、中央深さ値であってもよい。正確さのために、回復寸法情報は、深さプロファイル情報を含むことができる。
【００５４】
本方法は、前述のように回復表面積から回復体積を決定することと、前述のように深さ値または代表深さ値を決定することを含むことができる。使用を容易にするために、回復体積は、回復内に位置する項目にさらに依存して決定されてもよい。項目は、蓋、ストップタップ、消火栓、計器ハウジングまたは排水ハウジングであってもよい。
【００５５】
便宜上、この方法は、回復材料情報から最大理論密度を決定することを含むことができる。最大理論密度は、既知の最大理論密度の範囲からの代表的な最大理論密度であってもよい。
【００５６】
好ましくは、この方法は前述のように回復体積から、必要に応じて目標空隙含有量から、および前述のように最大理論密度から、必要な回復材料の質量を決定することを含む。好ましくは、回復装置が以下の式に従って、必要な回復材料の質量を決定する。
必要な材料の質量＝回復体積×最大理論密度×（１−（目標空隙含量［％］／１００））。
【００５７】
正確さのために、この方法は、計量装置によって測定された回復材料の質量の表示を受け取ることを含むことができる。表示は、必要な回復材料の質量を測定した計量装置の検証であってもよい。有効性のために、この方法は、計量装置によって測定された質量に基づいて、実際に使用された回復材料の質量を決定することを含んでもよい。正確さのために、この方法は、計量装置によって測定された質量の未使用部分の表示を受け取ると、未使用部分にさらに基づいて、実際に使用された回復材料の質量を決定することを含むことができる。有効性のために、この方法は、実際に使用された回復材料の質量に基づいて回復の推定された実際の空隙含有量を決定することを含んでもよい。便宜上、この方法は、推定された実際の空隙含有量が許容される目標空隙含有量の範囲内にあるかどうかの表示を提供することを含むことができる。
【００５８】
効率のために、この方法は、必要に応じて圧縮装置の回復のためのリフト数を決定することを含むことができる。この方法は、必要な回復材料の質量を回復のための複数のリフトに分割することを含むことができる。取り扱いを容易にするために、この方法は、必要な回復材料の質量（必要に応じてリフト当たり）を、必要に応じて容器当たりの最大荷重に応じて、回復材料の複数の荷重に分割することを含むことができる。
【００５９】
回復は、第１の材料の第１の層と、第２の材料の第２の層とを含むことができる。この方法は第１の層の第１の目標空隙含有量および第２の層の第２の目標空隙含有量を提供するために、必要な第１の回復材料の質量および必要な第２の回復材料の質量を決定することを含むことができる。第１の材料は結合剤材料であってもよく、第２の材料は表面材料であってもよい。
【００６０】
汎用性のために、この方法は、回復に関するさらなる情報を受信することを含むことができる。さらなる情報は、舗装タイプ、道路タイプ、歩道タイプ、回復場所、日付、時間、作業期間、気象条件、ユーザ識別、サイト情報、写真、圧縮装置、圧縮手順、回復材料の温度、サブベース材料、結合剤材料、表面材料、結合剤層の深さ、表面層の深さ、圧縮期間、圧縮振動周波数、および回復識別のうちの１つまたは複数に関連することができる。
【００６１】
正確さおよび信頼性のために、この方法は、計量装置と通信して、計量装置によって測定された質量の表示を受信すること、および／または必要な回復材料の質量の表示を送信することを含み得る。
【００６２】
精度および信頼性のために、この方法は、温度計と通信して、温度計によって測定された温度の表示を受信すること、および／または必要な温度の表示を送信することを含み得る。温度計は、回復材料の温度を測定するためのものであってもよい。表示は、必要な温度を測定した温度計の検証であってもよい。
【００６３】
精度および信頼性のために、この方法は、圧縮測定システムと通信して、圧縮測定システムによって測定された圧縮情報を受信すること、および／または必要な圧縮の表示を送信することを含み得る。圧縮測定システムは、回復の圧縮を測定するためのものであってもよい。圧縮測定システムは、圧縮振動測定システムであってもよい。情報は、必要な圧縮を測定した圧縮測定システムの検証であってもよい。
【００６４】
精度および信頼性のために、この方法は測定装置によって決定された寸法情報を受信するために、測定装置と通信することを含み得る。測定装置は、デジタルテープ測定装置、赤外線寸法測定装置、超音波距離測定装置、レーザ距離測定装置、またはレーザスキャンシステムであってもよい。
【００６５】
この方法は、回復の記録をデータストアに送信することを含み得る。記録は、好ましくは前述したように回復のために推定された実際の空隙含有量を含む。信頼性のために、回復記録は、回復識別タグに関連付けられた一意の識別子を含み得る。信頼性のために、回復識別タグは、回復に埋め込むためのＲＦＩＤタグであってもよい。
【００６６】
別の態様によれば、前述したような方法に従って処理された舗装回復物が提供される。
【００６７】
本発明は、実質的に本明細書に記載され、および／または図面を参照して図示される回復装置に及ぶ。本発明はまた、実質的に本明細書に記載され、および／または図面を参照して図示されるような回復システムにも及ぶ。本発明はまた、実質的に本明細書に記載され、および／または図面を参照して図示される回復方法にも及ぶ。
【００６８】
本発明はまた、本明細書に記載された方法の何れかを実行するための、および／または本明細書に記載された装置の特徴の何れかを実施するためのコンピュータプログラムまたはコンピュータプログラム製品、並びに本明細書に記載された方法の何れかを実行するための、および／または本明細書に記載された装置の特徴の何れかを実施するためのプログラムを格納したコンピュータ可読媒体を提供する。
【００６９】
本発明はまた、本明細書に記載された方法の何れかを実行するための、および／または本明細書に記載された装置の特徴の何れかを実施するためのコンピュータプログラムおよび／またはコンピュータプログラム製品を実施する信号、そのような信号を送信する方法、ならびに本明細書に記載された方法を実行するための、および／または本明細書に記載された装置の特徴の何れかを実施するためのコンピュータプログラムをサポートするオペレーティングシステムを有するコンピュータ製品を提供する。
【００７０】
本発明の一態様における任意の特徴は、任意の適切な組み合わせで、本発明の他の態様に適用されてもよい。特に、方法の態様は、装置の態様に適用されてもよく、逆もまた同様である。本明細書で使用されるように、ミーンズプラスファンクションの特徴は、適切にプログラムされたプロセッサおよび関連するメモリのような、それらの対応する構成の面では代替的に表現されてもよい。
【００７１】
さらに、ハードウェアに埋め込まれた特徴は一般に、ソフトウェアに実装されてもよく、逆もまた同様である。本明細書におけるソフトウェアおよびハードウェアの特徴へのいかなる言及も、それに応じて解釈されるべきである。
【００７２】
本明細書に記載されるような任意の装置の特徴は、方法の特徴として提供されてもよく、逆もまた同様である。本明細書で使用されるように、ミーンズプラスファンクションの特徴は、それらの対応する構成の面では代替的に表現されてもよい。
【００７３】
本発明の一態様における任意の特徴は、任意の適切な組み合わせで、本発明の他の態様に適合されてもよい。特に、方法の態様は、装置の態様に適用されてもよく、逆もまた同様である。さらに、１つの態様における任意の、いくつかの、および／またはすべての特徴は、任意の他の態様における任意の、いくつかの、および／またはすべての特徴に、任意の適切な組み合わせで適合され得る。
【００７４】
また、本発明の任意の態様において説明され、定義された様々な特徴の特定の組み合わせは、独立して実装および／または供給および／または使用されることができることを理解されたい。
【００７５】
本発明のこれらおよび他の態様は、以下の図面を参照して説明される以下の例示的な実施形態から明らかになるであろう。
【図面の簡単な説明】
【００７６】
【図１】回復装置を示す。
【図２】形状および寸法入力のためのユーザ入力インタフェ−スを示す。
【図３】回復装置のためのユーザ入力インタフェースの異なる表示を示す。
【図４】回復装置のためのユーザ入力インタフェースの異なる表示を示す。
【図５】回復装置のためのユーザ入力インタフェースの異なる表示を示す。
【図６】回復装置のためのユーザ入力インタフェースの異なる表示を示す。
【図７】回復装置のためのユーザ入力インタフェースの異なる表示を示す。
【図８】回復装置のためのユーザ入力インタフェースの異なる表示を示す。
【図９】回復装置のためのユーザ入力インタフェースの異なる表示を示す。
【図１０】回復装置のためのユーザ入力インタフェースの異なる表示を示す。
【図１１】回復システムを示す。
【図１２】回復装置を実施するのに適したユーザ装置の一例を示す。
【発明を実施するための形態】
【００７７】
図１は、空隙含有量要件をより正確に順守するための回復のための装置１０を示す。回復者は入力情報を提供し、次のことを決定する。
・回復寸法１２；そして
・回復材料１４。
必要に応じて、回復者は、回復が車道用であるか歩道用であるかのような、追加の回復情報１６を決定する入力情報を提供することができる。
【００７８】
回復装置１０は、回復寸法情報１２に基づいて回復体積２２を決定する。回復装置１０は回復材料１４の最大理論密度２４（ＭＴＤ）を決定する。回復装置１０は、回復材料１４と、必要に応じて追加の回復情報１６とに基づいて、回復のための目標空隙含有量２６を決定する。回復装置１０は、所定の体積を、目標空隙含有量を有する所定の材料で満たすために回復に必要な材料の質量３０を決定する。回復装置１０は、回復者に出力として必要な材料の質量３２を供給する。
【００７９】
必要な材料の質量３０は、以下のように計算される。
必要な材料の質量［ｋｇ］＝回復体積［ｍ3］×最大理論密度［ｋｇ／ｍ3］×（１−（目標空隙［％］／１００））
【００８０】
例えば、回復材料１４  ＡＣ  ６ｍｍ  ＤＳＣを用いて、回復寸法１２を２．５ｍ×０．９ｍ×０．０６５ｍとする車道回復の回復装置１０は、次のことを決定する。
・回復体積２２は２．５ｍ×０．９ｍ×０．０６５ｍ＝０．１５ｍ3
・ＡＣ  ６ｍｍ  ＤＳＣの最大理論濃度２４は、（テーブルを見て）２４６０ｋｇ／ｍ3である。
・ＡＣ  ６ｍｍ  ＤＳＣの目標空隙含有量２６は５％（テーブルを見て）である。
【００８１】
これらの値に基づいて、必要な材料の質量３０は、０．１５ｍ3×２４６０ｋｇ/ｍ3×０．９５＝３５１ｋｇである。回復装置は必要な３５１ｋｇを測定し、回復が周囲の舗装と同一平面になるまで開口部内で均等に圧縮することができ、回復は、従来の手順に従って準備された場合よりも良好な信頼性で空隙要件に準拠していると推定することができる。正しい量の材料が所与の空洞のために必要とされる空隙含有量を達成するために使用されたことが知られているので、回復が周囲の舗装と同一平面にあるときに圧縮が完了したと想定することができ、パス数に関するガイドラインを無視することができる。同じ理由で、複数のリフトで回復する必要はなく、かつてのように、回復が周囲の舗装と同一平面になると、回復は空隙要件に準拠することが期待できるので、従来許容可能であったよりも深い深さを単一のリフトで回復することができる。
【００８２】
必要に応じて、従来の圧縮手順に加えて従うことができる。回復装置10は、回復材料および回復深さに基づいて必要とされるリフトの数、および回復深さ（または２つ以上のリフトが必要とされる場合には圧縮リフト厚さ）に基づいた圧縮パスの数を（例えばテーブルを見て）決定することができる。必要な材料の質量３０は、例えば、均一な厚さの複数のリフトを提供するために、複数のリフトにわたって分割することができる。回復の深さ全体にわたる均一な圧縮のために、特に回復の深さが比較的大きい場合には、複数のリフトで回復することが有利であり得る。
【００８３】
上記の例ではＡＣ  ６ｍｍ  ＤＳＣの最大リフト厚は４０ｍｍであり、したがって、回復深さ６５ｍｍを満たすためには２つのリフトが必要である。リフト当たりの必要な材料の質量は必要な全材料の質量３０の半分であり、したがって１７５．５ｋｇである。各リフト（圧縮リフト厚：３２．５ｍｍ）に＞１４００ｋｇ／ｍ2の振動板圧縮機６個の圧縮パスが必要である。回復装置１０は、多数のリフトについてリフト当たりの必要な材料の質量の表示、同様に圧縮装置に応じたリフト当たりの圧縮パスの数の表示を提供することができる。
【００８４】
ここで、回復装置１０によって実行される動作をより詳細に考察する。
【００８５】
上記の例では、目標空隙値は５％である。ガイドラインは、例えば２〜１３％の許容空隙範囲を特定する。目標空隙値は他の要因（例えば、以下に説明するような最大理論密度）が考慮されるときに順守の確率を最適化するために、許容範囲内から選択される。他の実施例では、６％の目標空隙値が選択される。他の実施例では、２〜１３％の許容範囲の中央で７．５％の目標空隙値が選択される。
【００８６】
回復材料１４の最大理論密度２４（ＭＴＤ）は、回復材料が０％の空隙を有するときの回復材料の密度である。回復に使用される材料は、適切なＭＴＤ値を決定するために測定することができる。例えば、ＡＣ  ６ｍｍ  ＤＳＣ  １００／１５０は、典型的には、およそ２４００ｋｇ/ｍ3〜２５５０ｋｇ/ｍ3のＭＴＤを有する。
【００８７】
回復材料の正確な圧力（集合体、瀝青、充填剤など）は、例えば供給源およびバッチに応じて変化することができ、したがって、回復材料のＭＴＤは、ある範囲内で変化することができる。回復がやはり範囲内に入る空隙要件に準拠することを保証するために、回復材料の実際のＭＴＤ（回復者には知られていない可能性がある）が代表的なＭＴＤと異なる場合であっても、空隙要件が許容範囲内にあるように、代表的なＭＴＤが使用される。
【００８８】
例えば、ＡＣ  ６ｍｍ  ＤＳＣ（歩道）の空隙要件は、２〜１３％の範囲によって与えられる。上記の必要な材料の質量の実施例算出では、５％の名目上の目標空隙が選択され、２４６０ｋｇ/ｍ3の代表的なＭＴＤが使用される。もし、その実施例で、回復材の実際の（未知の）最大耐量が２４６０ｋｇ／ｍ3ではなく２４００ｋｇ／ｍ3であるならば、回復は５％ではなく３％の実際の空隙含量を有する。回復材料の実際のＭＴＤが２４６０ｋｇ／ｍ3ではなく２５５０ｋｇ／ｍ3であれば、回復は５％ではなく９％の実際の空隙含量を有する。両方の実際の空隙含量は、２〜１３％の許容範囲内である。
【００８９】
計算に使用される代表的なＭＴＤは一般に、所与の材料に対して固定され、いくつかの実際のサンプルからのいくつかの実際のＭＴＤ値、例えば、平均値または中央値から決定されてもよい。あるいは、代表的なＭＴＤが材料の製造業者によって提供されてもよい。計算に使用される代表的なＭＴＤは予想される実際の空隙含有量値の範囲が目標空隙含有量の範囲内（例えば、上述の例では２〜１３％の範囲内、または許容範囲の中点を中心とする範囲内、例えば、７．５％を中心とする範囲内）にあることを保証することができる。あまり好ましくない変形例では、代表的なＭＴＤが、例えば、名目上の目標空隙（例えば、５％または７．５％）の選択に基づいて選択される。
【００９０】
さらなる変形例では、回復に使用される材料の（実際の）ＭＴＤが測定され、測定されたＭＴＤは回復装置１０への入力として使用される。さらなる変形例では、材料の最大密度（特定の空隙含有量を含む）が測定され、測定された最大密度が回復装置１０への入力として使用される。
【００９１】
回復寸法情報１２は、回復者が空洞（回復すべき舗装開口部）を測定することによって得られる値に基づいて回復者によって提供することができる。単純な直方体の場合、空洞の長さ、幅および深さは、回復体積２２を決定するのに十分な回復寸法情報１２を提供する。より複雑な形状を有する空洞については、追加の情報が必要とされ得る。変形例では、入力は、空洞形状のユーザ入力を可能にすることによって提供され、空洞体積が指定されるまで寸法情報を追加するための入力が提供される。
【００９２】
図２はユーザ入力インタフェース５０の一例を示し、変形例では、ユーザが空洞の形状５２を描き、寸法情報を追加することができる。この機能を提供することができるソフトウェアは、容易に入手可能である。回復装置１０は与えられた情報から、形状の面積を決定することができる。寸法情報については端の長さが好ましく、これが、例えば、角度または垂直よりも測定するのにより好都合である。
【００９３】
さらなる変形例では、ユーザ入力が目盛りを提供するための寸法値の表示と共に、空洞の写真を含むことができる。画像認識モジュールは形状情報を抽出することができ、寸法値と共に、形状の面積を決定することができる。あるいは、モバイルスキャニング技術を使用して、形状および／または寸法情報を提供してもよい。
【００９４】
空洞の深さは、典型的には回復のためにほぼ均一である。空洞は正確に均一な深さを有していないことがあるので、正確には、多数の個々の深さ測定値がユーザによって入力され、代表的な深さを決定するために平均値または中央値が計算されることがある。ユーザ入力は深さプロファイルおよび深さ情報の入力に適合し、それに応じて体積を決定するように適合させることもできる。
【００９５】
ユーザ入力はさらに、形状境界に位置する標準品目（存在する場合）、例えば、蓋、ストップタップ、消火栓、排水ハウジング、または計器を収容するために使用される空洞のような標準構造の装置の表示を含む。
【００９６】
図３〜図１０は回復装置１０の一例として、必要な情報をユーザが入力し、必要な材料の質量に関する情報を出力するためのユーザ入力インタフェース１００の異なる表示を示す。この実施例では、回復装置１０が歩道（タイプ１）の回復のために適合される。
【００９７】
図３は、以下のドロップダウン領域を有するユーザ入力インタフェース１００を示す。
・表面材料１２０
・回復寸法１３０
・復帰深さ１４０
・箱１５０
・表面構造１６０
利用可能なフィールドを図４〜図８に示す。
【００９８】
図３では、ドロップダウン領域「表面材料」１２０がいくつかの可能な回復材料を列挙するドロップダウンメニュー１２２と共に示されている。図４には、図示の例ではＡＣ  ６ｍｍ  ＤＳＣである回復材料選択１２４が示されている。いくつかの可能な道路および歩道のタイプを列挙するさらなるドロップダウンメニューが提供されている。回復装置１０は、選択された材料の目標空隙含有量及び代表的なＭＴＤを決定する。
【００９９】
図５において、ドロップダウン領域「回復寸法」１３０は、長方形の空洞の長さに対する入力フィールド１３２と、長方形の空洞の幅に対する入力領域１３４とが示されている。図示の例では、長方形の空洞が長さ１．４９ｍ、幅０．５８ｍである。値のユーザ入力のために、キーパッド、または値の増加／減少ボタン、またはドロップダウンメニュー、または他の従来使用されている入力方法が提供されている。一変形形態では、値の入力が赤外線測定デバイスなどの外部デバイスによるか、または外部デバイスからの測定値を受信することであってもよい。変形例では、領域が異なる空洞形状、例えば、正方形／長方形／Ｌ字形／Ｔ字形の指定を可能にすることができ、適切な数の入力領域が形状選択に応じて寸法値を指定するように示される。回復装置１０は、回復寸法情報から回復空洞の表面積を決定する。
【０１００】
図６において、ドロップダウン領域「回復深さ」１４０は、個々の空洞深さ測定値のための５つの入力領域１４２と、入力から計算された平均深さ値を表示する領域１４４とを備えて示されている。図示の例では、３つの深さ測定値が入力され、平均深さは８６ｍｍとして示されている。回復深さ情報を用いて、回復装置１０は回復空洞の体積を決定する。また、回復装置１０は、回復深度情報に基づいて、リフト数を決定する。
【０１０１】
変形例では、回復装置１０が（例えば、テーブルを見て）深さ値（例えば、平均深さ、または入力深さ測定値の何れか）が許容できないかどうかを、例えば、回復深さが選択された回復タイプには小さすぎる場合に決定し、深さが十分であるかどうかの表示を提供する。例えば、非コンクリートサブベース上の歩道タイプ１の場合、６０ｍｍの最小深さが必要であり、ユーザが５０ｍｍの深さを入力する場合、深さが小さすぎることの表示が提供される。
【０１０２】
図７において、ドロップダウン領域「箱」１５０は空洞内に配置された多数の可能な装置（例えば、ストップタップ／消火栓／排水ハウジング／計器ハウジング）を列挙するドロップダウンメニュー１５２と、選択された装置の包含を示すためのボタン１５４と、ユーザによって追加された装置タイプ１５６および数量１５８を示す概要とを伴って示される。回復装置１０は選択された装置によって占有される体積を（例えば、テーブルを見て）決定し、それに応じて回復体積を調整する。
【０１０３】
図８では、ドロップダウン領域「表面構造」１６０が提供されたユーザ入力に基づく回復装置１０からの出力と共に示されている。出力は、必要なリフト数１６２（図示の実施例では2つ）、リフト当たりの一輪車数１６４（図示の実施例では１つ）、一輪車当たりの重量１６６（図示の実施例では８２．３ｋｇ）、および必要な総重量１６８（図示の実施例では１６４．６ｋｇ）を示す概要を含む。これらの値は、ユーザから受け取った情報に応じて回復装置１０によって決定される。ユーザ入力をクリアするための「クリア」ボタン１７０が示され、実際に行われた回復を監視するための「リフト」ボタン１７２が示されている。
【０１０４】
図９は「リフト」ボタン１７２を選択した後のユーザ入力インタフェース１００を示し、実際に行われた回復を監視するための以下のドロップダウン領域を有する。
・リフト１  １８０
・リフト２  １９０
・追加／残りの材料２００
・表面構造予測２１０
・説明２２０
【０１０５】
図９において、ドロップダウン領域フィールド「リフト１」１８０は、第１のリフトに関連して、計算毎に必要とされる回復材料の質量の表示と共に示されている。
・第１の一輪車１８２（図示の実施例では８２．３ｋｇで１つの一輪車しか必要とされない）、およびすべての一輪車１８６（図示の実施例では８２．３ｋｇで１つの一輪車しか必要とされない）の合計である。
【０１０６】
回復装置１０は（例えば、最大荷重を超えて荷重をかけられた一輪車がない多数の一輪車にわたって全質量が均等に分配されるように）一輪車の数および一輪車当たりの荷重を決定するために、一輪車当たりの最大荷重、例えば、１００ｋｇ（それを超えると、一輪車は操縦が困難になる可能性がある）を考慮に入れる。
【０１０７】
領域１８４は、第１の一輪車内で計量された回復材料の実際に測定された質量のユーザ入力のために提供され、ユーザ入力に基づいて、実際に測定された回復材料のすべての一輪車について計算された合計の表示１８８が提供される。さらなるリフト１９０、２００のためのドロップダウン領域は、これらのリフトのための類似の表示および入力領域を提供する。符号２３０はユーザ入力がリフトに関連して提供されたことを示し、別の符号２３２は、ユーザ入力がリフトに関連して必要とされることを示す。
【０１０８】
ドロップダウン領域「追加／残りの材料」２００では１つ以上の領域が測定された材料の質量のユーザ入力のために提供されるが、その後、例えば、材料が一輪車内で冷え過ぎたために、回復に含まれない。これは、回復のために実際に使用される材料の質量の修正を可能にする。
【０１０９】
図１０では、ドロップダウン領域「表面構造予測」２１０が回復のための質量２１２、密度２１４、および空隙率の表示と共に示されている。質量表示２１２は計算によって決定された必要な質量と、ユーザ入力から決定された回復のために実際に使用された質量との両方を示す（ただし、これらは「リフト」領域１８０、１９０、２００に与えられる）。密度表示２１４は、計算によって決定された要求密度と、ユーザ入力に基づいて推定された実際の回復の密度との両方を示す。空隙表示２１６は、指定された回復のための許容空隙の範囲、並びにユーザ入力に基づく実際の回復の空隙含有量の推定値を示す。
【０１１０】
ドロップダウン領域「説明」２２０には、ユーザが追加情報、例えば回復の住所を入力するための領域が設けられている。
【０１１１】
変形例では、以下のように異なる情報の指定を可能にするために、１つ以上の領域が提供されてもよい。
・舗装タイプ（道路または歩道または小道）
・道路または歩道または小道（例えば、道路タイプ０、１、２、３、４；歩道タイプ１、２、３；小道タイプ１、２）
・回復場所
・日時
・回復完了までの作業期間
・気象条件
・回復命令または許可番号
・チーム名またはＩＤ
・地点概要写真
・回復完了写真
・表面圧縮装置；これにより、回復装置１０は、使用される装置の能力に応じて、リフト当たりの最小パス数または推奨リフト数（および各リフトの質量）などの圧縮手順に関する表示を提供することができる。例えば、振動板は４０ｍｍの最大リフト深さまで材料を圧縮することができるだけであるが、振動タンパは６０ｍｍの最大リフト深さまでリフトを圧縮することができる。したがって、リフトの推奨される数は、選択された装置に応じて調整されてもよい。他の実施例では圧縮のために振動プレートが使用される場合、３つのリフトが適切であり得るが、圧縮のためにローラが使用される場合、１つの単一のリフトが適切であり得る。回復の他の適合は、選択された圧縮装置に依存して行われてもよい。
・回復材料の温度；これにより、回復装置１０は、回復のために温度要件が順守されているかどうかの表示を提供することができる。
・サブベース原料、例えば、コンクリートが回復の下にあるか否か；これは、回復装置１０が回復のために最小回復深さ要件が順守されているか否かの表示を提供することを可能にすることができる。
・結合剤材料の種類
・結合剤圧縮装置
・圧縮パラメータ、例えば、振動周波数および振動期間；これは、回復装置１０が十分な圧縮が達成されたか否かの表示を提供することを可能にし得る。
【０１１２】
回復装置１０は、（上記の表４に示すように）実施規範によって提案されたものよりも少ないリフトを提案することができる。空隙の信頼性が優れているため、回復装置１０に従うリフトはより少なくて済むか、または圧縮パスはより少なくて済み、回復を完了するのに必要な作業を最適化することができる。一例では回復装置が９０ｍｍの深さを有する歩道回復において振動プレートを使用する場合、回復装置１０は３つのリフトを提案し、一方、ローラが同じ回復の圧縮のために使用される場合、回復装置１０は１つのリフトを提案する。
【０１１３】
回復の面積が閾値（例えば、車道について２ｍ2）よりも大きい場合、回復は、結合剤材料の下層および表面材料の表層から形成されることが必要とされ得る。回復装置１０は、結合剤層および表面層を、あたかも各層が上記のような独立した回復であるかのように処理するように適合させることができる。回復装置１０は、例えば、結合剤過程が必要であるかどうかを決定することができ、必要である場合、結合剤材料（例えば、ＡＣ  ２０ｍｍ  ＤＢＣ）ならびに表面材料の入力を可能にすることができる。回復装置１０は結合剤複数層の深さおよび／または表面層の深さを（例えば、合計の深さに基づくテーブルを見て）決定するように適合させることができ、または、例えば、ユーザ入力による結合剤複数層の深さおよび／または表面層の深さの入力を可能にすることができる。結合剤材料および結合剤層の深さが与えられると、結合剤材料の質量は、上記のように回復装置１０によって決定することができる。表面材料および表面層の深さが与えられると、表面材料の質量は、上述のように回復装置１０によって決定することができる。
【０１１４】
上述の情報項目のいくつか、例えば、赤外線測定装置からの寸法情報、回復材料のバッチに関連付けられたバーコードからの材料情報、ホストシステムからの日時、統合ＧＰＳシステムからの位置、遠隔温度計からの温度、気象情報プロバイダからの気象条件などは、ユーザ入力なしで取得されてもよい。これらの情報項目のいくつかは、回復装置１０と、赤外線測定装置、遠隔温度計、圧縮装置に貼付されたバーコード、回復材料のバッチに関連付けられたバーコードまたはＲＦＩＤタグなどの他の装置との間の対話を可能にするユーザによって取得されてもよい。
【０１１５】
回復の詳細を含むログ（他の関連情報と同様に回復装置１０への入力および出力を含む）が生産され、装置で保存され、および／または他の装置に送信され得る。例えば、ログは中央データ施設に送信され、そこで、回復の詳細を記録し続けられ、要件およびガイドラインに対する回復の順守をサポートし続けられる。回復装置１０からの情報は、例えば、回復の実際の空隙の独立した測定から（例えば、非破壊試験によって、または回復のサンプルを採取し、サンプルを分析することによって）、中央データ施設におけるさらなる情報と相関され得るか、または補足され得る。中央データ施設では、完了した回復の詳細は採掘され、回復装置１０のさらなる改善のための情報を抽出することができる。
【０１１６】
中央データ施設は回復に関する情報を、他者、例えば、要件及びガイドラインに対する回復の順守を調査しようとする審査員に提供することができる。一例では、審査ツールは、ユーザが特定の回復を指定することを可能にし、次いで、審査ツールはその回復に関する情報、例えば、実際に使用された回復材料の質量に基づいて推定された実際の空隙含有量を中央データ施設から取得し、それをユーザに提供する。これは、ユーザに順守の迅速な表示を提供することができる。審査ツールはさらなる機能を提供することができ、例えば、中央データ施設からの情報を、（例えば、審査ツールに統合され得る適切な装置を用いた非破壊試験によって）回復の実際の空隙の測定値で補うことができる。
【０１１７】
回復とログとの関連付けを容易にするために（および品質保証を提供するために）、回復識別子を提供することができる。一例では、ＲＦＩＤタグが回復に埋め込まれる。回復の検査は、識別子としてＲＦＩＤタグを読み取ることと、回復のログまたは回復順守をサポートする記録を中央データ施設から取得することとを含むことができる。
【０１１８】
図１１は、上述した回復装置１０と、回復装置１０と通信する多数の周辺装置およびシステムとを有する回復システム５００の一例を示す。
【０１１９】
回復に実際に使用される回復材料の重量を決定するために、計量装置５０２が設けられる。計量装置５０２は、例えば、回復材料を計量するために一輪車または他の容器がその上に配置され得る、可動計量プラットフォームであり得る。計量装置５０２は、一輪車または他の容器に一体化され得る。計量装置５０２は容器重量の減少が回復に使用される材料の質量を示すように、回復材料のバルク容器（ローリー、ホッパー、またはホットボックスなど）に一体化することができる。一例では、容器（例えば、一輪車）は質量情報および温度情報の両方を回復装置１０に提供するために、一体化された計量装置５０２および温度計５０４を有する。
【０１２０】
図９を参照して上述した実施例では計量装置が回復装置１０と通信していないが、代わりに、ユーザは計量装置から得られた情報を入力することができる。あるいは、計量装置はユーザが計量装置から情報を入力する必要がないように、回復装置１０と通信することができる。計量装置は必要とされる材料の質量に関する情報を受け取ることができ、例えば、ユーザが材料を注ぎ出すときに必要とされる材料の質量に達したときに、音声または視覚信号を提供することができる。
【０１２１】
十分な圧縮が達成されたかどうかに関する表示を提供するために、圧縮装置は、圧縮に使用される装置の詳細を回復装置１０に提供することができる。さらに、圧縮測定システム５０８は圧縮に関する情報、例えば、圧縮振動周波数および圧縮期間を提供することができる。これは、十分な圧縮がいつ達成されたかを決定するための情報を提供することができる（ガイドラインによって指定されるような多数のパスによる圧縮の代わりに、またはそれに加えて、上記の表２を参照）。例えば、回復装置１０は特定の回復のために最適な圧縮がいつ達成されたかをユーザに示す色を示すことができ、またはユーザまたは圧縮装置に直接他の信号を与えることができる。圧縮測定システムは必要とされる圧縮に関する情報を受信することができ、例えば、必要とされる圧縮に到達したときに音声または視覚信号を提供することができる。
【０１２２】
空洞寸法決定システム５１２は回復装置１０の外部に設けられてもよいし、回復装置１０に一体化されてもよい。上述のように、ユーザは、空洞寸法決定システム５１２に空洞形状および寸法情報を入力することができる。あるいは、空洞寸法決定システム５１２（または回復装置１０）がデジタルテープ測定、赤外線寸法測定装置、超音波距離測定装置、レーザ距離測定装置、またはレーザスキャンシステムなどの測定装置５１６から寸法情報を取得してもよい。空洞寸法決定システム５１２（または回復装置１０）は、測定装置５１６を用いて予定される順序で特定の寸法を測定するための命令をユーザに提供することができる。空洞寸法決定システム５１２（または回復装置１０）は、ユーザが測定装置５１６から受け取った測定値を特定の寸法に割り当てることを可能にすることができる。空洞寸法決定システム５１２（または回復装置１０)は、カメラ（代替的に回復装置１０に一体化されてもよい)または他の形状および／または寸法決定装置などの外部ソースから形状情報を取得してもよい。一例では、適切なカメラが赤外線撮像によって（上述のように）、形状情報と温度情報の両方を提供することができる。
【０１２３】
回復装置１０は回復の記録を実際の回復にリンクするために、回復に特有のＩＤタグ５２２（ＲＦＩＤタグまたはバーコードなど）と通信することができる。
【０１２４】
回復装置１０は、以下のようなさらなる外部情報源と通信することができる。
・時間および日付情報を得るための外部時計および／またはカレンダー５１８；
・位置情報を取得するためのＧＰＳ装置などの位置決定システム５２０、および／または現在の気象情報を提供するための公開データベースなどのさらなる情報源４２４、またはユーザ識別および信用証明を検証するためのユーザ識別／認証
【０１２５】
上述のように、回復装置１０は、回復のログが記録され、記憶され、処理される中央データ施設などのデータストア５２６と通信することができる。回復の詳細は要件およびガイドラインへの回復の順守を支援するために提供され、情報を抽出するために採掘される。
【０１２６】
回復装置１０と周辺装置およびシステム（周辺装置およびシステムが回復装置に統合されていない限り）との間の通信は、ブルートゥース、ワイヤレスＵＳＢ、３Ｇ、４Ｇ、５Ｇ、または他の無線伝送、赤外線通信、または他によるワイヤレス通信のような従来から知られている手段によるか、またはケーブルなどの物理的な接続による。
【０１２７】
必要な要件およびガイドラインの回復の順守を支援するためだけでなく、順守を証明するために、回復装置１０への入力のいくつかのユーザ操作は、イネーブルされず、信頼できる装置によってのみ入力が受け入れられてもよい。これにより、回復者が回復装置１０の出力に応じて回復を処理した信頼を高めることができ、回復装置１０の順守を装う操作を回避することができる。
【０１２８】
図１２は、回復装置１０を実施するのに適したユーザ装置１０００（携帯電話（または「スマートフォン」）またはタブレットコンピュータなど）の一例を示す。ユーザ装置１０００は、バス１０１４によって互いに結合されたＣＰＵ１００２、記憶装置１００６、記憶部１００８、取り外し可能な記憶部１０１０、およびユーザインタフェース１０１２の形態のプロセッサを含む。ユーザインタフェース１０１２は、ディスプレイ１０１６と、この実施形態では「タッチスクリーン」としてディスプレイ１０１６に統合される入力／出力装置とを備える（キーボードおよびマウスなどの他の入力／出力装置が使用されてもよいことが理解されるのであろうが）。コンピュータ装置は、通信インタフェース１００４をさらに含む。
【０１２９】
ＣＰＵ１００２は、記憶装置１００６、記憶部１００８、および／または取り外し可能な記憶部１０１０に格納された命令を含む命令を実行する。
【０１３０】
記憶装置１００６は、ＣＰＵ１００２によって使用される命令および他の情報を記憶する。記憶装置１００６は、コンピュータ装置１０００の主メモリである。これは、通常、ランダムアクセスメモリ（ＲＡＭ）と読み取り専用メモリ（ＲＯＭ）の両方を含む。
【０１３１】
記憶部１００８は、コンピュータ装置１０００のための大容量記憶部を提供する。異なる実装形態では、記憶部１００８は、ハードディスク装置、フラッシュメモリ、または何らかの他の同様のソリッドステート記憶装置、またはそのような装置のアレイの形態の一体型記憶装置である。
【０１３２】
取り外し可能な記憶部１０１０は、コンピュータ装置１０００のための補助記憶を提供する。異なる実装形態では、取り外し可能な記憶部１０１０がポータブルフラッシュドライブまたは他の類似のポータブルソリッドステート記憶装置などの取り外し可能な記憶部のための記憶媒体、またはそのような装置である。他の実施形態では、取り外し可能な記憶部１０１０がコンピュータ装置１０００から遠隔であり、ネットワーク記憶装置またはクラウドベースの記憶装置を含む。
【０１３３】
ディスプレイ１０１６は、前述のようにユーザ入力インタフェースとして機能するように構成され、ユーザ入力に応じて図３〜図１０のディスプレイを示すように構成される。
【０１３４】
通信インタフェース１００４は、典型的にはバス１０１４をデータネットワークに結合するのに適したトランシーバである。回復装置は、通信インタフェース１００４を介して、図１１を参照して説明した周辺装置およびシステムと通信する。
【０１３５】
回復装置１０は一般に、記憶装置１００６、記憶部１００８、および取り外し可能な記憶部１０１０のいずれか１つに異なる段階で記憶されるコンピュータプログラム製品として実装される。コンピュータプログラム製品の記憶はコンピュータプログラム製品に含まれる命令がＣＰＵ１００２によって実行されている場合を除いて、一時的ではなく、この場合、命令はＣＰＵ１００２または記憶装置１００６に一時的に記憶されることがある。取り外し可能な記憶部１００８はユーザ装置１０００から取り外し可能であり、その結果、いくつかの実施形態では、コンピュータプログラム製品が時々ユーザ装置１０００とは別個に保持され得ることにも留意されたい。
【０１３６】
本発明は純粋に例として上述されており、詳細の修正は、本発明の範囲内でなされ得ることが理解されるであろう。
【０１３７】
本明細書、および（適切な場合）特許請求の範囲および図面に開示される各特徴は、独立して、または任意の適切な組み合わせで提供されてもよい。
【０１３８】
特許請求の範囲に現れる参照番号は例としてのみだけのものであり、特許請求の範囲に限定的な効果を有するものではない。
【図１】
2020530534.tif 000007
【図２】
2020530534.tif 000008
【図３】
2020530534.tif 000009
【図４】
2020530534.tif 000010
【図５】
2020530534.tif 000011
【図６】
2020530534.tif 000012
【図７】
2020530534.tif 000013
【図８】
2020530534.tif 000014
【図９】
2020530534.tif 000015
【図１０】
2020530534.tif 000016
【図１１】
2020530534.tif 000017
【図１２】
2020530534.tif 000018
【国際調査報告】
2020530534.tif 000019
2020530534.tif 000020